(57)【要約】【課題】シート体の上面に突起を設けることなく、一般の歩行者と視覚障害者の双方に対して注意を喚起できるようにする。【解決手段】本発明に係る警告マット装置１は、立ち入りを規制するシート体２が中央部に膨張部２ａを有し、全周縁が床３に当接する当接部２ｂから成り、膨張部２ａから当接部２ｂにかけて徐々に下降する傾斜部２ｃを有する形状に形成されており、シート体２の裏面側に配置された非接触受電部４、及び非接触受電部４に電力を供給する非接触給電部５と、シート体２の膨張部２ａの裏面に取り付けられて、非接触給電部５から非接触受電部４に供給された電力によって起動し、シート体２に押圧力が与えられたときに警告を発する警告装置６とを備えており、警告装置６の厚さ寸法は、膨張部２ａの裏面とこの裏面に対向する床３との間隔よりも小さな寸法に設定されている。【選択図】図１
2017220125.tif 000002
【特許請求の範囲】
【請求項１】
接地面に載置されて立ち入りを規制するシート体を備えた警告マット装置であって、
前記シート体は、中央部に膨張部を有し、全周縁が前記接地面に当接する当接部から成り、前記膨張部から前記当接部にかけて徐々に下降する傾斜部を有する形状に形成されており、
前記シート体の裏面側に配置された受電部、及び前記受電部に電力を供給する給電部と、
前記シート体の前記膨張部の裏面に取り付けられて、前記給電部から前記受電部に供給された電力によって起動し、前記シート体に押圧力が与えられたときに警告を発する警告装置とを備えており、
前記警告装置の上下方向に沿う厚さ寸法は、前記シート体の前記膨張部の裏面と、前記膨張部の裏面に対向する前記接地面との間隔よりも小さな寸法に設定されていることを特徴とする警告マット装置。
【請求項２】
請求項１に記載の警告マット装置であって、
前記受電部は非接触受電部から成り、前記給電部は非接触給電部から成ることを特徴とする警告マット装置。
【請求項３】
請求項２に記載の警告マット装置であって、
前記警告装置は、前記非接触受電部から供給された電流を整流する整流部と、前記整流部で整流された電力を蓄える蓄電部と、前記蓄電部に蓄えられた電力によりそれぞれ起動し、前記シート体に押圧力が与えられたことを検知する検知部、及び前記検知部で前記シート体に押圧力が与えられたことが検知されたときに警告を発する警告部とを備えることを特徴とする警告マット装置。
【請求項４】
請求項３に記載の警告マット装置であって、
前記警告装置の前記検知部は、前記シート体の裏面と前記接地面との間に形成された空間部における空気圧の変化を検知する空気圧センサから成ることを特徴とする警告マット装置。
【請求項５】
接地面に載置されて立ち入りを規制するシート体を有し前記シート体は、中央部に膨張部を有し、全周縁が前記接地面に当接する当接部から成り、前記膨張部から前記当接部にかけて徐々に下降する傾斜部を有する形状に形成されており、前記シート体の裏面側に配置された非接触受電部、及び前記非接触受電部に電力を供給する非接触給電部と、前記シート体の前記膨張部の裏面に取り付けられて、前記非接触給電部から前記非接触受電部に供給された電力によって起動し、前記シート体に押圧力が与えられたときに警告を発する警告装置とを備えており、前記警告装置の上下方向に沿う厚さ寸法は、前記シート体の前記膨張部の裏面と、前記膨張部の裏面に対向する前記接地面との間隔よりも小さな寸法に設定されている警告マット装置の前記非接触受電部に、前記非接触給電部から電力を供給する警告マット装置給電方法であって、
前記非接触受電部が配置された前記シート体の裏面に対応する前記シート体の上面部分に、前記非接触給電部を配置し、この状態で前記非接触受電部に前記非接触給電部から前記シート体を介して電力を供給することを特徴とする警告マット装置給電方法。
【発明の詳細な説明】
【技術分野】
【０００１】
本発明は、エレベーターの乗り場の床やエスカレーターの乗降口の床等の接地面に載置されて立ち入りを規制する警告マット装置、及び警告マット装置給電方法に関する。
【背景技術】
【０００２】
エレベーターの保守点検等が行われる場合に、昇降路の出入りに際して乗り場のドアを開放することが必要になる。また、エスカレーターの補修工事等が行われる場合に、通常はエスカレーターの利用者が上を通過する機械室の蓋を取り外して作業が行われることがある。このような場合に、形成された開口部を柵などで囲み、柵の周囲に工事中であることを警告するシート体を載置することも行われている。
【０００３】
このようなシート体は、例えば特許文献１に開示されている。特許文献１には、視覚障害者誘導用点字シートが開示されており、この点字シートは、黄色の色彩で形成され、線状突起を有する線状ブロックと、点状突起を有する点状ブロックとを備え、これらの線状ブロック及び点状ブロックによって視覚障害者に対して注意を喚起するようにしている。
【先行技術文献】
【特許文献】
【０００４】
【特許文献１】特開２００４−１９０４６２号公報
【発明の概要】
【発明が解決しようとする課題】
【０００５】
特許文献１に開示された視覚障害者誘導用点字シートでは、視覚障害者のための線状突起及び点状突起が上面に形成されていることから、これらの突起に一般の歩行者あるいは視覚障害者の足が引っ掛かって点字シートがずれたり、めくれたりする虞がある。これを防ぐために、点字シートの周囲をテープ等で固定することが必要になる。また、点字シートを撤収する際には、テープ等を剥がす作業が必要になる。このようなことから従来技術にあっては、点字シートの設置作業が煩雑になりやすい問題がある。
【０００６】
上記課題を解決するために、本発明の目的は、シート体の上面に突起を設けることなく、一般の歩行者と視覚障害者の双方に対して注意を喚起することができる警告マット装置、及び警告マット装置給電方法を提供することにある。
【課題を解決するための手段】
【０００７】
上記課題を解決するために、本発明に係る警告マット装置は、接地面に載置されて立ち入りを規制するシート体を備えた警告マット装置であって、前記シート体は、中央部に膨張部を有し、全周縁が前記接地面に当接する当接部から成り、前記膨張部から前記当接部にかけて徐々に下降する傾斜部を有する形状に形成されており、前記シート体の裏面側に配置された受電部、及び前記受電部に電力を供給する給電部と、前記シート体の前記膨張部の裏面に取り付けられて、前記給電部から前記受電部に供給された電力によって起動し、前記シート体に押圧力が与えられたときに警告を発する警告装置とを備えており、前記警告装置の上下方向に沿う厚さ寸法は、前記シート体の前記膨張部の裏面と、前記膨張部の裏面に対向する前記接地面との間隔よりも小さな寸法に設定されていることを特徴としている。
【０００８】
また、上記課題を解決するために、本発明に係る警告マット装置給電方法は、接地面に載置されて立ち入りを規制するシート体を有し前記シート体は、中央部に膨張部を有し、全周縁が前記接地面に当接する当接部から成り、前記膨張部から前記当接部にかけて徐々に下降する傾斜部を有する形状に形成されており、前記シート体の裏面側に配置された非接触受電部、及び前記非接触受電部に電力を供給する非接触給電部と、前記シート体の前記膨張部の裏面に取り付けられて、前記非接触給電部から前記非接触受電部に供給された電力によって起動し、前記シート体に押圧力が与えられたときに警告を発する警告装置とを備えており、前記警告装置の上下方向に沿う厚さ寸法は、前記シート体の前記膨張部の裏面と、前記膨張部の裏面に対向する前記接地面との間隔よりも小さな寸法に設定されている警告マット装置の前記非接触受電部に、前記非接触給電部から電力を供給する警告マット装置給電方法であって、前記非接触受電部が配置された前記シート体の裏面に対応する前記シート体の上面部分に、前記非接触給電部を配置し、この状態で前記非接触受電部に前記非接触給電部から前記シートを介して電力を供給することを特徴としている。
【発明の効果】
【０００９】
本発明に係る警告マット装置、及び警告マット装置給電方法によれば、当該警告マット装置の接地面に対する設置作業を従来よりも簡単に、能率良く行うことができる。前述した以外の課題、構成及び効果は、以下の実施形態の説明により明らかにされる。
【図面の簡単な説明】
【００１０】
【図１】本発明に係る警告マット装置の一実施形態の要部構成を示す側断面図である。
【図２】工事現場における設置状態を示す本実施形態に係る警告マット装置の平面図である。
【図３】給電時の状態を示す本実施形態に係る警告マット装置の平面図である。
【図４】本実施形態に係る警告マット装置に備えられた警告装置を示すブロック図である。
【発明を実施するための形態】
【００１１】
以下、本発明に係る警告マット装置、及び警告マット装置給電方法の実施の形態を図面に基づいて説明する。
【００１２】
図１〜図３に示すように、本実施形態に係る警告マット装置１は、接地面を形成する例えばエレベーターの乗り場の床３に載置されて、一般の歩行者及び視覚障害者の立ち入りを規制するシート体２を備えている。このシート体２の上面の色は、識別力が高い色彩、例えば明るい黄色に形成されている。このシート体２は、上面が滑らかに形成された例えば硬質ゴムから成り、適度の剛性を有すると共に、人に踏まれることにより撓む可撓性を有している。
【００１３】
また、このシート体２は四角形状に形成されており、中央部に膨らみ部すなわち膨張部２ａを有し、全周縁が床３に当接する当接部２ｂから成り、膨張部２ａから当接部２ｂにかけて徐々にゆるやかに下降する傾斜部２ｃを有する形状に形成されている。このシート体２の上面には何らの突起も形成されていない。
【００１４】
また本実施形態に係る警告マット装置１は、シート体２の裏面側に配置された受電部、例えば非接触受電部４と、この非接触受電部４に電力を供給する給電部、例えば非接触給電部５とを備えている。これらの非接触受電部４及び非接触給電部５は、薄型のシートコイルから成っている。非接触給電部５にはコンバーターが接続されており、コンバーターは例えば商用電源に接続可能となっている。
【００１５】
図１，図４に示すように、本実施形態に係る警告マット装置１は、シート体２の膨張部２ａの裏面に取り付けられて、非接触給電部５から非接触受電部４に供給された電力によって起動し、シート体２が一般の歩行者または視覚障害者によって踏まれ、このシート体２に押圧力が与えられたときに警告を発する警告装置６を備えている。
【００１６】
前述のように警告装置６は、シート体２の裏面側の中央部に取り付けられ、非接触受電部４は、シート体２の隅角部付近に取り付けられている。これらの非接触受電部４と警告装置６とは、図示しない信号線によって接続されている。
【００１７】
警告装置６は、非接触受電部４から供給された電流を整流する整流部６ａと、この整流部６ａで整流された電力を蓄える例えば二重層コンデンサから成る蓄電部６ｂと、この蓄電部６ｂに蓄えられた電力によりそれぞれ起動し、シート体２に押圧力が与えられたことを検知する検知部と、この検知部でシート体２に押圧力が与えられたことが検知されたときに警告を発する警告部とを備えている。
【００１８】
前述した検知部は、シート体２の裏面と床３との間に形成された図１に示す空間部７における空気圧の変化を検知する空気圧センサ６ｃから成っている。また、前述した警告部は、音声あるいは音響等の警告音を発生させる警告音発生部６ｄから成っている。
【００１９】
このように構成された本実施形態に係る警告マット装置１の非接触受電部４に、非接触給電部５から電力を供給する給電方法は、図３に示すように、非接触受電部４が配置されたシート体２の裏面に対応するシート体２の上面部分に、非接触給電部５を接触させて配置し、この状態で非接触給電部５を例えばシート体２に貼り付け固定し、非接触受電部４に非接触給電部５からシート体２を介して電力を供給するものである。
【００２０】
この状態で非接触給電部５に図示しない商用電源、コンバーターを介して所定の周波数と電流の電力を供給することによって、非接触給電部５に変動磁界が発生する。非接触受電部４は、非接触給電部５に発生した変動磁界による電磁誘導によって発電を行い、発電した電力は警告装置６の整流部６ａに送られる。整流部６ａで非接触受電部４から送られた電力が整流され、整流された電力は蓄電部６ｂに蓄えられる。この蓄電部６ｂに蓄えられた電力は、空気圧センサ６ｃ及び警告音発生部６ｄに供給される。これにより空気圧センサ６ｃ及び警告音発生部６ｄが起動する。すなわち作動可能状態に保たれる。
【００２１】
エレベーターの保守点検に際しては、前述したように昇降路への出入りに際して乗り場のドアが開放されるが、このドアの解放によって形成された開口部方向への一般の歩行者、及び視覚障害者の立ち入りを阻止するために、図３に示す状態から非接触給電部５を取外した図２に示す状態の警告マット装置１が、開口部近傍の乗り場の床３上に載置される。
【００２２】
このように警告マット装置１が床３に載置された状態では、図１に示すように、シート体２の全周縁の当接部２ｂは床３に当接し、シート体２の中央部に形成された膨張部２ａは床３から離れ、シート体２の膨張部２ａの裏面に取り付けられた警告装置６は、床３から浮いた状態に保持される。
【００２３】
このようなシート体２を含む警告マット装置１の設置状態では、一般の歩行者の開口部方向への侵入は、シート体２の上面の明るい黄色を歩行者が目視することによって基本的に規制される。
【００２４】
また、一般の歩行者あるいは視覚障害者が警告マット装置１のシート体２方向に進んでシート体２を踏んだときには、シート体２の下方に形成された空間部７の空気圧が変化する。この空気圧の変化が警告装置６の空気圧センサ６ｃによって検知され、この空気圧センサ６ｃの検知に応じて警告音発生部６ｄが作動し、警告音を発生する。この警告音によって一般の歩行者あるいは視覚障害者は注意喚起され、一般の歩行者あるいは視覚障害者の開口部方向への侵入が阻止される。
【００２５】
以上のように、本実施形態に係る警告マット装置１は、シート体２の上面に突起を設けることなく、一般の歩行者と視覚障害者の双方に対して注意喚起することができる。シート体２の上面に突起を設けることが無いので、シート体２に一般の歩行者あるいは視覚障害者の足が突起に引っ掛かってシート体２がずれたり、めくれたりする事態を抑えることができる。したがって、シート体２を床３に固定するテープ貼り付け作業等を要することなくシート体２を床３に載置することができ、また、載置されたシート体２を含む警告マット装置１を容易に撤収することができる。このように本実施形態に係る警告マット装置１は、床３に対する設置作業を簡単に、能率良く行うことができる。
【００２６】
また、シート体２の上面に突起を設けることが無く、したがって一般の歩行者及び視覚障害者の足が突起に接触し突起を介して不要な力がシート体２に与えられ事態を生じることが無く、これによりシート体２の耐久性を向上させることができる。
【００２７】
また、前述のようにして行う警告マット装置１の非接触受電部４への非接触給電部５からの電力の供給方法、すなわち警告マット装置給電方法によれば、非接触受電部４に対応するシート体２の上面部分に単に非接触給電部５を載置して貼り付けて、非接触給電部５から非接触受電部４に電力を供給すればよく、非接触受電部４に対する給電作業を容易に行うことができる。
【００２８】
なお、前述した実施形態にあっては、シート体２が硬質ゴムによって構成されているが、硬質ゴムに代えて硬質プラスチック、あるいは金属薄板によって構成されていてもよい。
【００２９】
また、前述した実施形態では、非接触受電部４に電力を供給するに際し、非接触給電部５をシート体２の上面に配置したが、シート体２の裏面側に非接触給電部５を挿入して、非接触受電部４に電力を供給してもよい。また、警告装置６の下部に非接触受電部４を取り付け、この状態の非接触受電部４に、シート体２の裏面側に挿入した非接触給電部５から電力を供給するようにしてもよい。
【００３０】
また、前述した実施形態では、非接触受電部４及び非接触給電部５が薄型のシートコイルによって構成されているが、これらの非接触受電部４及び非接触給電部５が、積層したシートコイル、あるいは磁気コアに巻かれた薄型コイルによって構成されていてもよい。
【００３１】
また、前述した実施形態では、警告装置６の検知部が空気圧センサ６ｃから成っているが、空気圧センサ６ｃに代えて、シート体２が踏まれたことによる衝撃や振動を検知する加速度検知センサを設けた構成にしてもよい。
【００３２】
また、警告装置６の警告部が警告音発生部６ｄによって構成されているが、この警告音発生部６ｄに代えて警告部が、検知部から出力された検知信号に応じて振動を発生させる振動発生部によって構成されていてもよい。
【００３３】
また、前述した実施形態は、非接触受電部４が取り付けられた裏面に対応する非接触給電部５が設置されるシート体２の上面部分には何も表示がなされていないが、この非接触給電部５が設置される上面部分に、非接触受電部４に対応する非接触給電部５の設置箇所であることを表示するマークや文字を形成してもよい。このようにすると、非接触給電部５をシート体２の上面に簡単に設置することができる。
【００３４】
また、前述した実施形態では、非接触給電部５の電力として商用電源を用いたが、特定のバッテリを設け、この特定のバッテリからの電力を非接触給電部５に供給するようにしてもよい。
【００３５】
なお、前述した実施形態では、警告マット装置１をエレベーターの乗り場の床３に設置してあるが、この警告マット装置１をエスカレーターの乗降口の床に配置してもよく、また、エレベーターの乗り場の床やエスカレーターの乗降口の床とは異なる平坦な接地面を有する箇所に、注意喚起するための装置として設置してもよい。
【００３６】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３７】
１・・警告マット装置、２・・シート体、２ａ・・膨張部、２ｂ・・当接部、２ｃ・・傾斜部、３・・床（接地面）、４・・非接触受電部、５・・非接触給電部、６・・警告装置、６ａ・・整流部、６ｂ・・蓄電部、６ｃ・・空気圧センサ（検知部）、６ｄ・・警告音発生部（警告部）、７・・空間部
【図１】
2017220125.tif 000003
【図２】
2017220125.tif 000004
【図３】
2017220125.tif 000005
【図４】
2017220125.tif 000006